(57)【要約】【課題】小型化を図りつつ、ペダル装置を踏み込んでアコースティックバスドラムを演奏する際に得られる操作感に近似した感触を得ることができるペダル打楽器を提供すること。【解決手段】打撃部５０は、水平方向において第１軸Ｏ１を挟んだ第４軸Ｏ４及びペダル部２０の反対側に位置しているので、ペダル部２０の踏み込み操作を行って打撃部５０により被打撃部６０を打撃する際に、演奏者は、打撃部５０を鉛直方向上側へ持ち上げることによる重量感を感じることができる。よって、ペダル装置を踏み込んでアコースティックバスドラムを演奏する際に得られる操作感に近似した感触を得ることができる。さらに、第１軸Ｏ１は、初期状態では鉛直方向におけるペダル部２０の上端と下端との間に位置しているので、ペダル打楽器１００を小型化させることができる。【選択図】図１
2014081501.tif 000002
【特許請求の範囲】
【請求項１】
床面に載置される基部と、その基部に一端側が回動可能に軸支されるペダル部と、そのペダル部の他端側に一端側が連結される連結部材と、その連結部材の他端側が連結される回動体と、その回動体を前記基部に対して回動可能に軸支する第１軸と、その第１軸の軸回りを回動すると共に前記回動体の一端側に配設される打撃部と、その打撃部の回動軌道上に位置する被打撃部と、を備えるペダル打楽器において、
前記第１軸は、前記ペダル部が操作されていない状態では鉛直方向における前記ペダル部の上端と下端との間に位置し、
前記打撃部は、前記第１軸を挟んだ水平方向における前記ペダル部の反対側に配設されると共に、前記ペダル部が操作されていない状態において前記被打撃部よりも鉛直方向下側に配設され、
前記ペダル部が前記基部に対して一方向へ回動することで、前記連結部材を介して前記回動体が前記基部に対して他方向へ回動すると共に、前記回動体が他方向へ所定量回動することで前記被打撃部が前記打撃部に打撃されることを特徴とするペダル打楽器。
【請求項２】
前記打撃部または前記被打撃部のいずれか一方は、前記打撃部または前記被打撃部のいずれか他方と対向する位置に配設されると共に弾性材料から構成される弾性部材を備え、
前記打撃部は、錘としてのウェイト部を備えていることを特徴とする請求項１記載のペダル打楽器。
【請求項３】
前記ペダル部または回動体に付勢力を付与する付勢部材を備え、
前記付勢部材の付勢力により、ペダル部が操作されていない状態では前記ペダル部の他端側を所定の高さ位置に保持すると共に前記打撃部を前記床面および前記基部から離間した位置に保持し、前記ペダル部が一方向へ回動して前記回動体を他方向へ回動させた際には前記付勢部材の付勢力により前記回動体を一方向へ回動させると共に前記ペダル部を他方向へ回動させることを特徴とする請求項１又は２に記載のペダル打楽器。
【請求項４】
前記被打撃部は、前記打撃部に打撃される打面が前記第１軸の軸心よりも鉛直方向上側に位置していることを特徴とする請求項１から３のいずれかに記載のペダル打楽器。
【請求項５】
前記被打撃部は、前記打面が水平方向において前記第１軸の軸心よりも前記ペダル部に近接する側に位置していることを特徴とする請求項１から４のいずれかに記載のペダル打楽器。
【請求項６】
前記打撃部または前記被打撃部のいずれか一方は、前記打撃部または前記被打撃部のいずれか他方と対向する位置に配設されると共に弾性材料から構成される弾性部材を備え、
その弾性部材は、前記回動体の回動方向に垂直な断面積が、前記打撃部または前記被打撃部のいずれか他方から離間するにつれて大きくなっていることを特徴とする請求項１から５のいずれかに記載のペダル打楽器。
【請求項７】
前記基部に対して前記ペダル部の一端側を回動可能に軸支する第２軸と、その第２軸よりも上方に位置すると共に前記ペダル部の他端側に対して前記連結部材の一端側を回動可能に軸支する第３軸と、その第３軸を挟んだ水平方向における前記第２軸の反対側、かつ、前記第１軸を挟んだ水平方向における前記打撃部の反対側であって鉛直方向における前記第２軸および前記第３軸の間に位置すると共に前記連結部材の他端側に対して前記回動体の他端側を回動可能に軸支する第４軸と、を備え、
前記連結部材は、所定の剛性を有するリンクとして構成されていることを特徴とする請求項１から６のいずれかに記載のペダル打楽器。
【請求項８】
前記第１軸は、その軸心と前記打撃部の重心位置との距離が、前記第１軸の軸心と前記第４軸の軸心との距離よりも短く設定されていることを特徴とする請求項７記載のペダル打楽器。
【請求項９】
前記第１軸は、その軸心と前記打撃部が前記被打撃部に対して最初に当接する位置である打点との距離が、前記第１軸の軸心と前記第４軸の軸心との距離よりも短く設定されていることを特徴とする請求項７記載のペダル打楽器。
【請求項１０】
前記被打撃部は、前記打撃部に打撃されたことを検出するセンサを備えていることを特徴とする請求項１から９のいずれかに記載のペダル打楽器。
【発明の詳細な説明】
【技術分野】
【０００１】
本発明は、ペダル打楽器に関し、特に、小型化を図りつつ、ペダル装置を踏み込んでアコースティックバスドラムを演奏する際に得られる操作感に近似した感触を得ることができるペダル打楽器に関するものである。
【背景技術】
【０００２】
演奏者によるペダル部の踏み込みに連動して回動する打撃部を有するペダル装置を使用して演奏するアコースティックバスドラムを模擬したペダル打楽器が知られている。
【０００３】
例えば、米国特許第４２０００２５号には、演奏者によるペダル部１１４の踏み込みに連動して回動する打撃部１５０及びその打撃部１５０に打撃される被打撃部１２０をペダル部１１４の下方に配置したペダル打楽器が開示されている。
【０００４】
また、実開平６−８９９８号公報には、演奏者によるペダル１９（ペダル部）の踏み込みに連動して下方に引き下げられるビータ１７（回動体、打撃部）によって打面部３ａ（被打撃部）を打撃するペダル打楽器が開示されている。
【先行技術文献】
【特許文献】
【０００５】
【特許文献１】米国特許第４２０００２５号(図４など)
【特許文献２】実開平６−８９９８号公報(［００１３］、図３など)
【発明の概要】
【発明が解決しようとする課題】
【０００６】
しかしながら、上述した特許文献１に記載のペダル打楽器は、ペダル部１１４の下方に、打撃部１５０を回動させるためのスペースを確保する必要があるため、ペダル打楽器全体が大型化するという問題点があった。
【０００７】
また、上述した特許文献２に記載のペダル打楽器は、ペダル部１１４の踏み込みに連動してビータ１７を下方へ振り下ろすことで打面部３ａを打撃するため、ペダル装置のペダル部への踏み込みに連動して打撃部を上方へ振り上げることでアコースティックバスドラムを打撃する場合とは、ペダル部を踏み込む際に得られる操作感が異なるという問題点があった。
【０００８】
本発明は、上述した問題点を解決するためになされたものであり、小型化を図りつつ、ペダル装置を踏み込んでアコースティックバスドラムを演奏する際に得られる操作感に近似した感触を得ることができるペダル打楽器を提供することを目的としている。
【課題を解決するための手段および発明の効果】
【０００９】
請求項１記載のペダル打楽器によれば、打撃部は、第１軸を挟んだ水平方向におけるペダル部の反対側に配設されると共にペダル部が操作されていない状態では被打撃部よりも鉛直方向下側に配設されており、演奏者により踏み込み操作されたペダル部が基部に対して一方向へ回動することで、連結部材を介して回動体が基部に対して他方向へ回動し、回動体の一端側に配設された打撃部が鉛直方向上側へ持ち上げられる。また、回動体が他方向へ所定量回動すると、打撃部よりも鉛直方向上側に位置する被打撃部が打撃部により打撃される。
【００１０】
このように、ペダル部を操作して打撃部により被打撃部を打撃する際に、演奏者は打撃部を鉛直方向上側へ持ち上げることによる重量感を感じることができる。
【００１１】
ここで、アコースティックバスドラムを演奏する際に使用するペダル装置では、ペダル部の踏み込み操作に連動して打撃部が鉛直方向上側へ持ち上げられる。そのため、演奏者はペダル装置のペダル部を踏み込む際に重量感を感じる。
【００１２】
請求項１記載のペダル打楽器では、ペダル部へ踏み込み操作を行う際に重量感を感じることができるので、ペダル装置のペダル部を踏み込んでアコースティックバスドラムを演奏する際に得られる操作感に近似した感触を得ることができるという効果がある。
【００１３】
また、第１軸は、ペダル部が操作されていない状態では鉛直方向におけるペダル部の上端と下端との間に位置しているので、ペダル部が操作されていない状態で第１軸がペダル部の上端よりも鉛直方向上側に位置している場合と比べて、ペダル打楽器を小型化させることができるという効果がある。
【００１４】
請求項２記載のペダル打楽器によれば、請求項１記載のペダル打楽器の奏する効果に加え、打撃部は、弾性材料から構成される弾性部材が被打撃部と対向する位置に配設されているので、打撃部により被打撃部を打撃する際に、弾性部材を被打撃部に当接させることができる。よって、打撃部で被打撃部を打撃した際に発生する打撃音を低減させることができるという効果がある。
【００１５】
また、打撃部には、弾性部材に対して被打撃部と対向する側の反対側に錘としてのウェイト部が取着されているので、打撃部と第１軸との距離を短くした場合であっても、ペダル部を操作した際に十分な重量感を感じることができる。よって、ペダル打楽器の小型化を図りつつ、ペダル装置のペダル部を踏み込んでアコースティックバスドラムを演奏する際に得られる操作感に近似した感触を得ることができるという効果がある。
【００１６】
請求項３記載のペダル打楽器によれば、請求項１又は２に記載のペダル打楽器の奏する効果に加え、演奏者によるペダル部の踏み込み操作によってペダル部を一方向へ回動させると共に回動体を他方向へ回動させた際には、付勢部材により、回動体を一方向へ回動させると共にペダル部を他方向へ回動させる付勢力が付与されるので、ペダル部への踏み込み操作が解除された際には、ペダル部および回動体をペダル部への踏み込み操作が行われる前の位置に戻すことができる。
【００１７】
また、ペダル部が操作されていない状態では、付勢部材により打撃部が床面および基部から離間した位置に保持されるので、ペダル部への操作が解除されて一方向へ回動する打撃部が、床面または基部に衝突することを回避しやすくすることができるという効果がある。
【００１８】
請求項４記載のペダル打楽器によれば、請求項１から３のいずれかに記載のペダル打楽器の奏する効果に加え、被打撃部は、打面が第１軸の軸心よりも鉛直方向上側に位置しているので、打撃部と被打撃部との距離を確保できる。即ち、打撃部により被打撃部を打撃する際における打撃部の振り幅を確保することができるので、その分、打撃部により被打撃部を打撃する際のペダル部の回動量（踏み込み操作量）を確保できる。よって、ペダル部の回動量を、ペダル装置でアコースティックバスドラムを打撃する場合におけるペダルの回動量に近似させることができるので、ペダル装置のペダル部を踏み込んでアコースティックバスドラムを演奏する際に得られる操作感に近似した感触を得ることができるという効果がある。
【００１９】
請求項５記載のペダル打楽器によれば、請求項１から４のいずれかに記載のペダル打楽器の奏する効果に加え、被打撃部は、打面が水平方向において第１軸の軸心よりもペダル部に近接する側に位置しているので、打面が水平方向において第１軸の軸心よりもペダル部から離間する側に位置する場合と比べて、ペダル部が操作されていない状態における打撃部と床面または基部との距離を大きく確保することができる。よって、ペダル部への操作が解除されて回動体が一方向へ回動した際に、打撃部が床面または基部に衝突することを回避しやすくすることができるという効果がある。
【００２０】
請求項６記載のペダル打楽器によれば、請求項１から５のいずれかに記載のペダル打楽器の奏する効果に加え、打撃部または被打撃部のいずれか一方には、弾性材料から構成される弾性部材が、打撃部または被打撃部のいずれか他方と対向する位置に配設されているので、打撃部で被打撃部を打撃する際に、弾性部材を打撃部または被打撃部のいずれか他方に当接させることができる。よって、打撃部で被打撃部を打撃した際に発生する打撃音を低減させることができるという効果がある。
【００２１】
また、弾性部材は、弾性材料から構成されると共に、回動体の回動方向に垂直な断面積が打撃部または被打撃部のいずれか他方から離間するにつれて大きくなっているので、打撃部を被打撃部に強く押し付けるほど、弾性部材の弾性復元力により打撃部を一方向へ跳ね返そうする力を増大させることができると共に、ペダル部を他方向へ押し返そうとする力を増大させることができる。
【００２２】
ここで、アコースティックバスドラムの打面を構成するヘッドをペダル装置の打撃部により打撃する際、打撃部をヘッドに強く押し付けるほど、ヘッドの張力により打撃部を跳ね返そうとする力が増大すると共にペダル部を他方向へ押し返そうとする力が増大する。
【００２３】
よって、請求項６記載のペダル打楽器では、演奏者がペダル部を操作して打撃部で被打撃部を打撃した際に、ペダル装置でアコースティックバスドラムを打撃する際に得られる感触に近似した操作感を得ることができるという効果がある。
【００２４】
請求項７記載のペダル打楽器によれば、請求項１から６のいずれかに記載のペダル打楽器に加え、連結部材の他端側に対して回動体の一端側を軸支する第４軸が、第３軸を挟んだ水平方向における第２軸の反対側、かつ、第１軸を挟んだ水平方向における打撃部の反対側であって鉛直方向における第２軸と第３軸との間に位置しているので、演奏者により踏み込み操作されたペダル部が一方向へ回動することにより、連結部材を介して回動体の一端側が押し下げられつつ他方向へ回動し、回動体の他端側に配設された打撃部を鉛直方向上側へ持ち上げることができる。
【００２５】
よって、ペダル部を操作して打撃部により被打撃部を打撃する際に、演奏者は打撃部を鉛直方向上側へ持ち上げることによる重量感を感じることができるので、ペダル装置のペダル部を踏み込んでアコースティックバスドラムを演奏する際に得られる操作感に近似した感触を得ることができるという効果がある。
【００２６】
また、第１軸が、ペダル部が操作されていない状態では鉛直方向における第２軸と第３軸との間に位置しているので、第１軸がペダル部が操作されていない状態において第３軸よりも鉛直方向上側に位置する場合と比べて、ペダル打楽器を小型化させることができるという効果がある。
【００２７】
請求項８記載のペダル打楽器によれば、請求項７記載のペダル打楽器の奏する効果に加え、第１軸の軸心と打撃部の重心位置との距離が、第１軸の軸心と第４軸の軸心との距離よりも短く設定されているので、第１軸から打撃部までの長さ寸法を短くすることができると共に、打撃部の回動軌道上に位置する被打撃部をより回動軸に近接した位置に配設することができる。その結果、ペダル打楽器の小型化を図ることができるという効果がある。
【００２８】
請求項９記載のペダル打楽器によれば、請求項７記載のペダル打楽器の奏する効果に加え、第１軸の軸心と打点との距離が、第１軸の軸心と第４軸の軸心との距離よりも短く設定されているので、第１軸から打撃部までの長さ寸法を短くすることができると共に、打撃部の回動軌道上に位置する被打撃部をより第１軸に近接した位置に配設することができる。その結果、ペダル打楽器の小型化を図ることができるという効果がある。
【００２９】
請求項１０記載のペダル打楽器によれば、請求項１から９のいずれかに記載のペダル打楽器の奏する効果に加え、打撃部が打撃されたことを検出するセンサを備えているので、ペダル打楽器を電子打楽器として使用することができるという効果がある。
【図面の簡単な説明】
【００３０】
【図１】（ａ）は、本発明の第１実施の形態におけるペダル打楽器の上面図であり、（ｂ）は、図１（ａ）のＩｂ−Ｉｂ線におけるペダル打楽器の断面図である。
【図２】ペダル打楽器の上面図である。
【図３】ペダル打楽器の断面図である。
【図４】第２実施の形態におけるペダル打楽器の断面図である。
【図５】（ａ）は、第３実施の形態におけるペダル打楽器の上面図であり、（ｂ）は、図５（ａ）のＶｂ−Ｖｂ線におけるペダル打楽器の断面図である。
【発明を実施するための形態】
【００３１】
以下、本発明の好ましい実施の形態について添付図面を参照して説明する。まず、図１から図３を参照して、第１実施の形態におけるペダル打楽器１００について説明する。図１（ａ）は、本発明の第１実施の形態におけるペダル打楽器１００の上面図であり、図１（ｂ）は、図１（ａ）のＩｂ−Ｉｂ線におけるペダル打楽器１００の断面図である。図２は、ペダル打楽器１００の上面図であり、ペダル部２０、連結部材３０及び被打撃部６０が取り外された状態を図示している。図３は、ペダル打楽器１００の断面図であり、ペダル部２０への踏み込み操作が行われて打撃部５０により被打撃部６０が打撃された状態を図示している。なお、図３には、図１（ｂ）に対応する断面が図示されている。
【００３２】
図１及び図２に示すように、ペダル打楽器１００は、ペダル部への踏み込み操作に連動して回動する打撃部を有するペダル装置、及び、そのペダル装置を使用して演奏するアコースティックバスドラムを模擬した電子打楽器である。ペダル打楽器１００は、床面に載置される基部１０と、その基部１０に回動可能に軸支されるペダル部２０と、そのペダル部２０に一端側が回動可能に軸支される連結部材３０と、その連結部材３０の他端側に回動可能に軸支される回動体４０と、その回動体４０の一端側に配設される打撃部５０と、その打撃部５０の回動軌道上に位置する被打撃部６０と、その被打撃部６０に取着される振動センサ７０と、を主に備えて構成されている。
【００３３】
基部１０は、ペダル打楽器１００の土台となる部位であり、床面に接地する長板状の接地板１１と、その接地板１１の長手方向一側に配設されるペダル軸支部１２と、接地板１１の長手方向他側に立設された対向する一対の立設部１３と、接地板１１の長手方向におけるペダル軸支部１２及び一対の立設部１３の間で接地板１１に形成されるバネ連結部１４と、を備えている。
【００３４】
ペダル部２０は、演奏者の踏み込み操作により回動する部位であり、長板状に形成されている。ペダル部２０は、その長手方向を基部１０の接地板１１の長手方向と一致させた状態で、ペダル部２０の長手方向一端側が基部１０のペダル軸支部１２に回動可能に保持されている。
【００３５】
連結部材３０は、所定の剛性を有するリンクとして構成される部位であり、連結部材３０の一端側がペダル部２０の長手方向他端側に回動可能に保持されている。
【００３６】
回動体４０は、演奏者によるペダル部２０の踏み込み操作に連動して回動する部位であり、水平方向において連結部材３０を挟んだペダル部２０の反対側に配設されている。回動体４０は、対向する一対の回動板４１と、それら一対の回動板４１を連結する回動軸部４２とを備えている。
【００３７】
各々の回動板４１は、長板状に形成されており、連結部材３０の他端側に回動可能に保持されている。また、一対の回動板４１のうちの一方の回動板４１（図２上側の回動板４１）には、他方の回動板４１と対向する側の反対側へ向けて突出する突出部４１ａ（図２参照）が形成されている。
【００３８】
一対の回動板４１及び回動軸部４２には、第１軸Ｏ１が軸通されており、その第１軸Ｏ１が基部１０の一対の立設部１３に架設されることで、回動体４０が一対の立設部１３に回動可能に保持されている。
【００３９】
なお、本実施の形態では、回動軸Ｏ１が一対の立設部１３に架設されることで回動体４０が第１軸Ｏ１に回動可能に軸支されているが、第１軸Ｏ１を回動体４０に固着または一体形成することで一対の立設部１３に対して第１軸Ｏ１を回動可能に保持させてもよい。
【００４０】
ここで、ペダル部２０の下方には、基部１０と回動体４０とを連結する付勢部材８０が配設されている。付勢部材８０は、ペダル部２０及び回動体４０に付勢力を付与する部材である。付勢部材８０は、引っ張りバネから構成されると共に一端が基部１０のバネ連結部１４に連結されるバネ部材８１と、そのバネ部材８１の他端が一端側に連結されると共に他端側が回動体４０の突出部４１ａに連結される付勢力伝達部８２とを備えている。
【００４１】
また、付勢部材８０は、バネ部材８１に付勢力が付与された状態でバネ固定部１４と突出部４１ａとを連結している。これにより、ペダル部２０が操作されていない状態（以下「初期状態」と称す）では、バネ固定部１４と突出部４１ａとの距離が最短となる位置で回動体４０を所定の位置に静止させることができる。また、回動体４０を所定の位置に静止させることで、回動体４０を軸支する連結部材３０及びその連結部材３０を軸支するペダル部２０を所定の位置で静止させることができる。
【００４２】
なお、ペダル打楽器１００は、初期状態において、基部１０のペダル軸支部１２に対してペダル部２０の一端側を軸支する第２軸Ｏ２よりも、ペダル部２０の他端側に対して連結部材３０の一端側を軸支する第３軸Ｏ３が鉛直方向上側に位置するように構成されている。これにより、ペダル部２０の長手方向他端側を長手方向一端側よりも鉛直方向上側に配置させた状態でペダル部２０を静止させることができるので、ペダル部２０の踏み込み操作を行う際の踏み代を確保することができる。
【００４３】
さらに、第１軸Ｏ１は、初期状態では、鉛直方向における第３軸Ｏ３と第２軸Ｏ２との間、即ち、鉛直方向におけるペダル部２０の上端と下端との間に位置しているので、第１軸Ｏ１が初期状態において第３軸Ｏ３又はペダル部２０の上端よりも上側に位置する場合と比べて、ペダル打楽器１００を小型化させることができる。
【００４４】
また、連結部材３０の他端側に対して回動体４０の回動板４１を軸支する第４軸Ｏ４は、第３軸Ｏ３を挟んだ水平方向における第２軸Ｏ２の反対側、かつ、水平方向において第１軸Ｏ１よりもペダル部２０に近接する側であって、鉛直方向における第２軸Ｏ２と第３軸Ｏ３との間に位置するように構成されている。また、回動体４０の一端側に配設される打撃部５０は、第１軸Ｏ１を挟んだ第４軸Ｏ４の反対側、即ち、第１軸Ｏ１を挟んだ水平方向におけるペダル部２０の反対側に配設されると共に、初期状態において床面および基部１０の接地板１１から離間した所定の高さ位置で静止するように構成されている。
【００４５】
打撃部５０は、被打撃部６０を打撃する部位であり、回動体４０の回動軸部４２を挟んだ第４軸Ｏ４の反対側で一対の回動板４１に固着されている。打撃部５０は、被打撃部６０に対向する位置に配設される弾性部材５１と、その弾性部材５１に対して被打撃部６０に対向する側の反対側に取着されるウェイト部５２とを備えている。
【００４６】
弾性部材５１は、打撃部５０により被打撃部６０を打撃する際に被打撃部６０に当接する部材であり、ゴム材料から構成されている。なお、弾性部材５１は、ゴム材料以外の弾性材料、例えば、ウレタン等から構成されていてもよい。
【００４７】
弾性部材５１は、第１軸Ｏ１に垂直な断面が略三角形状に形成されており、回動体４０の回動方向に垂直な断面積が被打撃部６０から離間するにつれて大きくなっている。また、弾性部材５１は、被打撃部６０に最も近接する部分であって、打撃部５０により被打撃部６０を打撃する際に被打撃部６０に対して最初に当接する部分である打点５１ａと第１軸Ｏ１の軸心との距離が、第４軸Ｏ４の軸心と第１軸Ｏ１の軸心との距離も短く設定されている。これにより、打撃部５０を第１軸Ｏ１から近接した位置で回動させることができるので、ペダル打楽器１００の小型化を図ることができる。
【００４８】
ウェイト部５２は、回動体４０が回動する際に錘として機能する部位であり、金属材料から構成されている。なお、ウェイト部５２を樹脂材料等から構成してもよい。
【００４９】
ここで、打撃部５０は、その重心Ｇと第１軸Ｏ１の軸心との距離が、第４軸Ｏ４の軸心と第１軸Ｏ１の軸心との距離も短く位置に配設されている。これにより、打撃部５０を第１軸Ｏ１から近接した位置で回動させることができるので、ペダル打楽器１００の小型化を図ることができる。
【００５０】
なお、この場合、重心Ｇから第１軸Ｏ１までの距離と打撃部５０の質量Ｗとの積が、アコースティックバスドラムの演奏に使用されるペダル装置（図示せず）の打撃部（ビーターヘッド）の重心Ｇ´から打撃部の回動軸Ｏ１´までの距離と打撃部の質量Ｗ´との積と略等しくなる位置に打撃部５０を配設することが望ましい。これにより、ペダル打楽器１００のペダル部２０を踏み込んだ際に、ペダル装置を踏み込んでアコースティックバスドラムを演奏する際に得られる操作感に近似した感触を得ることができる。
【００５１】
被打撃部６０は、打撃部５０に打撃される部位であり、打撃部５０の回動軌道上であって第１軸Ｏ１の軸心よりも鉛直方向上側に配設されている。
【００５２】
上記したように、打撃部５０は、その重心Ｇと第１軸Ｏ１の軸心との距離が第４軸Ｏ４の軸心と第１軸Ｏ１の軸心との距離よりも短く設定されると共に、打点５１ａと第１軸Ｏ１の軸心との距離が第４軸Ｏ４の軸心と第１軸Ｏ１の軸心との距離よりも短く設定されているので、打撃部５０の回動軌道上に位置する被打撃部６０をより第１軸Ｏ１に近接した位置に配設することができる。これにより、ペダル打楽器１００を小型化させることができる。
【００５３】
被打撃部６０は、打撃部５０に対向して位置する被打撃板６１と、その被打撃板６１に対して打撃部５０の反対側で被打撃板６１に対向して位置する固定板６２と、それら被打撃板６１及び固定板６２の間に介設される一対の介設部材６３とを備えている。
【００５４】
被打撃板６１は、打撃部５０に打撃される部位であり、打撃部５０に対する対向面である打面６１ａが、水平方向において第１軸Ｏ１の軸心よりもペダル部２０に近接する側（図１（ｂ）左側）に位置している。なお、本実施の形態では、打面６１ａが水平方向へ向けられているが、打面６１ａが水平方向に対して斜め上方または斜め下方へ向けられていてもよい。
【００５５】
また、初期状態における回動体４０の静止位置を適宜設定して打撃部５０の打点５１ａと被打撃部６０の打面６１ａとの距離を調整することで、打撃部５０により被打撃部６０を打撃する際に必要なペダル部２０の回動量（踏み込み操作量）を、ペダル装置でアコースティックバスドラムを打撃する場合におけるペダル部の回動量に近似させることができる。これにより、ペダル装置を踏み込んでアコースティックバスドラムを演奏する際に得られる操作感に近似した感触を得ることができる。
【００５６】
固定板６２は、被打撃部６０を基部１０に固定させるための部位であり、第１軸Ｏ１よりも鉛直方向上側で一対の立設部１３に固定されている。
【００５７】
一対の介設部材６３は、厚さ寸法（図１（ａ）左右方向における寸法）が振動センサ７０よりも大きく設定された弾性材料から構成されており、隙間を隔てつつ第１軸Ｏ１の軸方向に沿って並設された状態で被打撃板６１及び固定板６２に固着されている。これにより、被打撃板６１と固定部６２との間には、被打撃板６１、固定板６２及び一対の介設部材６３に包囲された空間Ｓが形成されている。
【００５８】
空間Ｓの内部には、打面６１ａの反対側の面で被打撃板６１に接着された振動センサ７０が配設され、振動センサ７０と固定板６２との間には隙間が形成されている。
【００５９】
振動センサ７０は、被打撃板６１の振動を検出するピエゾセンサであり、楽音装置（図示せず）に電気的に接続されている。打撃部５０により被打撃部６０が打撃されて被打撃板６１に振動が発生すると、その被打撃板６１の振動が振動センサ７０に検出されると共にその検出された検出信号が音源装置に出力されることで、検出された検出信号に基づいて演奏者の好みに応じた楽音を音源装置から放音させることができる。このように、ペダル打楽器１００は、振動センサ７０を備えているので、ペダル打楽器１００を電子打楽器として使用することができる。
【００６０】
また、振動センサ７０は、固定板６２との間に隙間が形成された状態で空間Ｓの内部に配設されているので、振動センサ７０の振動が固定板６２により妨げられることを回避できる。
【００６１】
さらに、介設部材６３が弾性材料から構成されているので、打撃部５０に打撃された際に発生する被打撃板６１の振動を早期に収束させることができると共に、床面やペダル部２０等の振動が伝達されたことにより発生する被打撃板６１の小さな振動を抑制できる。その結果、振動センサ７０の誤検出を抑制できる。
【００６２】
図３に示すように、演奏者による踏み込み操作によりペダル部２０が一方向（図３時計回り方向）へ回動されると、ペダル部２０の長手方向他端側を軸支する第３軸Ｏ３が鉛直方向下側へ押し下げられ、第３軸Ｏ３に一端側が軸支された連結部材３０が鉛直方向下側へ押し下げられる。これにより、連結部材３０の他端側を軸支する第４軸Ｏ４が鉛直方向下側へ押し下げられ、回動体４０が他方向（図４反時計回り方向）へ回動する。
【００６３】
打撃部５０は、水平方向において第１軸Ｏ１を挟んだ第４軸Ｏ４及びペダル部２０の反対側に位置しているので、第４軸Ｏ４が鉛直方向下側へ押し下げられつつ回動体４０が他方向へ回動することで、打撃部５０は鉛直方向上側へ持ち上げられつつ第１軸Ｏ１の軸回りを他方向へ回動する。
【００６４】
このように、ペダル部２０の踏み込み操作を行って打撃部５０により被打撃部６０を打撃する際に、演奏者は、ペダル部２０への踏み込み操作を行う際に打撃部５０を鉛直方向上側へ持ち上げることによる重量感を感じることができる。
【００６５】
ここで、アコースティックバスドラムを演奏する際に使用するペダル装置では、ペダル部の踏み込み操作に連動して打撃部が鉛直方向上側へ持ち上げられる。そのため、演奏者はペダル装置のペダル部を踏み込む際に重量感を感じる。
【００６６】
ペダル打楽器１００では、ペダル部２０への踏み込み操作を行う際に重量感を感じることができるので、ペダル装置を踏み込んでアコースティックバスドラムを演奏する際に得られる操作感に近似した感触を得ることができる。
【００６７】
さらに、打撃部５０は、第１軸Ｏ１を挟んだ水平方向におけるペダル部２０の反対側を回動するので、打撃部５０をペダル部２０の下方に設ける場合と比べて、ペダル部２０と基部１０の接地板１１との間に打撃部５０を回動させるためのスペースを設けることが不要な分、ペダル打楽器１００の高さ寸法を小さくすることができる。
【００６８】
また、打撃部５０を水平方向におけるペダル部２０と基部１０の一対の立設部１３との間のスペースに設け、ペダル部２０の踏み込みに連動して打撃部５０を一方向へ回動させる場合と比べて、一対の立設部１３をペダル部２０に対して近接した位置に配置できるので、基部１０の長手方向における長さ寸法を小型化することができる。この場合、回動体４０を基部１０の立設部１３に対して着脱可能に構成した場合には、回動体４０を取り外すことでペダル打楽器１００をよりコンパクトにした状態で持ち運ぶことができる。
【００６９】
ペダル部２０が一方向へ所定量踏み込まれて打撃部５０が他方向へ所定量回動すると、被打撃部６０が打撃部５０により打撃される。このとき、ゴム材料から構成される弾性部材５１を被打撃板６１に当接させることができるので、打撃部５０により被打撃部６０を打撃した際に発生する打撃音を低減させることができる。
【００７０】
また、弾性部材５１は、回動体４０の回動方向に垂直な断面積が被打撃部６０から離間するにつれて大きくなっているので、打撃部５０を被打撃部６０に強く押し付けるほど、弾性部材５１の弾性復元力により打撃部５０を一方向（図３時計回り方向）へ跳ね返そうする力を増大させることができると共に、ペダル部２０を他方向（図３反時計回り方向）へ押し返そうとする力を増大させることができる。
【００７１】
ここで、アコースティックバスドラムの打面を構成するヘッドをペダル装置の打撃部により打撃する際、打撃部をヘッドに強く押し付けるほど、ヘッドの張力により打撃部を跳ね返そうとする力が増大すると共にペダル部を他方向へ押し返そうとする力が増大する。
【００７２】
よって、ペダル打楽器１００では、演奏者がペダル部２０を踏み込み操作して打撃部５０により被打撃部６０を打撃した際に、ペダル装置でアコースティックバスドラムを打撃する際に得られる感触に近似した操作感を得ることができる。
【００７３】
また、打撃部５０は、錘として機能するウェイト部５２を備えているので、打撃部５０と第１軸Ｏ１との距離を短くした場合であっても、ペダル装置でアコースティックバスドラムを打撃する際に得られる重量感を十分に感じることができる。よって、ペダル打楽器１００の小型化を図りつつ、ペダル装置を踏み込んでアコースティックバスドラムを演奏する際に得られる操作感に近似した感触を得ることができる。
【００７４】
なお、本実施の形態では、弾性部材５１の第１軸Ｏ１に垂直な断面が略三角形状に形成されると共に、ウェイト部５２が弾性部材５１に対して被打撃部６０に対向する側の反対側に取着されることで、打撃部５０の重心Ｇが第４軸Ｏ４と第１軸Ｏ１とを通る仮想直線ｌよりも被打撃部６０から離間した位置に置かれている。
【００７５】
これにより、打撃部５０の重心Ｇが仮想直線ｌ上に置かれている場合と比べて、打撃部５０の重心Ｇと第１軸Ｏ１との距離を長く確保できるので、その分、ペダル部２０の踏み込み操作を行う際に得られる重量感を増加させることができる。
【００７６】
踏み込みによりペダル部２０を一方向へ回動させることで回動体４０が他方向へ回動すると、回動体４０の突出部４１ａと基部１０のバネ連結部１４とを連結する付勢部材８０のバネ部材８１が伸長する。そのため、ペダル部２０への踏み込み操作が解除されると、バネ部材８１の付勢力により、回動体４０が一方向（図３時計回り方向）へ回動させられると共に、ペダル部２０が他方向（図３反時計回り方向）へ回動させられる。よって、ペダル部２０への踏み込み操作が解除された際には、ペダル部２０及び回動体４０をペダル部２０への踏み込み操作が行われる前の位置に戻すことができる。
【００７７】
ここで、打撃部５０はウェイト部５２を備えているので、ペダル部２０への踏み込み操作が解除されて回動体４０が一方向へ回動する際、ウェイト部５２に作用する重力により、打撃部５０が初期状態よりも下方まで回動する。
【００７８】
これに対し、打撃部５０は、初期状態において床面および基部１０の接地板１１から離間した位置で保持されているので、ペダル部２０への操作が解除されて一方向へ回動する打撃部５０が、床面または接地板１１に衝突することを回避しやすくすることができる。その結果、打撃部５０と床面または接地板１１との衝突に起因して打撃部５０及び床面または接地板１１が損傷することを抑制できると共に、打撃部５０と床面または接地板１１との衝突により発生する衝突音の発生を低減させることができる。
【００７９】
さらに、被打撃部６０は、打面６１ａが第１軸Ｏ１よりも鉛直方向上側に位置すると共に、打面６１ａが水平方向において第１軸Ｏ１の軸心よりもペダル部２０に近接する側に位置しているので、初期状態において打撃部５０を床面および接地板１１から離間した位置に保持した場合であっても、打撃部５０と被打撃部６０との距離を十分に確保できる。即ち、打撃部５０により被打撃部６０を打撃する際における打撃部５０の振り幅を確保することができるので、その分、打撃部５０により被打撃部６０を打撃する際のペダル部２０の回動量（踏み込み操作量）を確保できる。よって、ペダル部２０の回動量を、ペダル装置でアコースティックバスドラムを打撃する場合におけるペダルの回動量に近似させることができるので、ペダル装置を踏み込んでアコースティックバスドラムを演奏する際に得られる操作感に近似した感触を得ることができる。
【００８０】
なお、ウェイト部５２の弾性部材５１が取着される面と反対側の面または接地板１１の打撃部５０と対向する位置に、ゴムやウレタン等の弾性材料から構成されるクッション材を設けてもよい。このクッション材が、初期状態よりも下方まで回動した打撃部５０に対して当接可能な位置に配設されることで、打撃部５０と接地板１１との衝突により打撃部５０又は接地板１１が損傷することを防止できると共に、打撃部５０と床面または接地板１１との衝突により発生する衝突音の発生を低減させることができる。また、被打撃部６０の固定板６２のうち回動体４０の一端側と対向する位置にクッション材を設け、そのクッション材が初期状態よりも一方向へ回動した回動体４０の一端側に対して当接可能な位置に配設されることで、回動体４０の一方向への回動を規制して、打撃部５０と床面または接地板１１とが衝突することを回避してもよい。
【００８１】
次に、図４を参照して、第２実施の形態について説明する。第１実施の形態では、ペダル打楽器１００が振動センサ７０を備える電子打楽器である場合について説明したが、第２実施の形態では、ペダル打楽器２００が練習用の打楽器である場合について説明する。なお、第１実施の形態と同一の部分については同一の符号を付して、その説明を省略する。
【００８２】
図４（ａ）及び図４（ｂ）は、第２実施の形態におけるペダル打楽器２００の断面図であり、図４（ａ）では、ペダル部２０への踏み込み操作が行われていない状態、図４（ｂ）では、ペダル部２０への踏み込み操作が行われて打撃部５０により被打撃部２６０が打撃された状態をそれぞれ図示している。なお、図４（ａ）では図１（ｂ）に対応する断面が図示されると共に、図４（ｂ）では図３に対応する断面が図示されている。
【００８３】
図４に示すように、ペダル打楽器２００は、ペダル部への踏み込み操作に連動して回動する打撃部を有するペダル装置、及び、そのペダル装置を使用して演奏するアコースティックバスドラムを模擬した練習用の打楽器である。
【００８４】
第２実施の形態における連結部材２３０は、第１実施の形態における連結部材２３０よりも長手方向における長さ寸法が大きく設定されている。これにより、初期状態において、第２実施の形態における第３軸Ｏ３の高さ位置を第１実施の形態における第３軸Ｏ３の高さ位置と同等にしつつ、第２実施の形態における第４軸Ｏ４の高さ位置を第１実施の形態における第４軸Ｏ４の高さ位置よりも低くすることで、第２実施の形態における打撃部５０を、第１実施の形態における打撃部５０よりも床面および接地板１１から離間した位置で保持することができる。
【００８５】
被打撃部２６０は、打撃部５０に打撃される部位であり、板状に構成されると共に基部１０の一対の立設板１３に固定され、打撃部５０に対する対向面である打面２６０ａが、水平方向において第１軸Ｏ１よりもペダル部２０に近接する側（図４（ｂ）左側）に位置している。
【００８６】
なお、上記した第１実施の形態では、被打撃板６１と固定板６２との間に空間Ｓを形成し、その空間Ｓに振動センサ７０が配設されていたのに対し、第２実施の形態における被打撃部２６０には、振動センサ７０が配設されていない分、打面２６０ａを第１実施の形態における打面６１ａよりもペダル部２０に近接する側（図３（ｂ）左側）に配置することができる。
【００８７】
このように、ペダル打楽器２００は、初期状態において打撃部５０を床面および接地板１１からより離間した位置で保持させつつ、被打撃部２６０の打面２６０ａをよりペダル部２０に近接した位置に配置することで打撃部５０と被打撃部２６０との距離を十分に確保できる。
【００８８】
これにより、ペダル部２０への操作が解除されて一方向へ回動する打撃部５０が、床面または接地板１１に衝突することを回避しやすくしつつ、打撃部５０により被打撃部２６０を打撃する際における打撃部５０の振り幅を確保することで、打撃部５０により被打撃部２６０を打撃する際のペダル部２０の回動量（踏み込み操作量）を確保できる。よって、ペダル部２０の回動量を、ペダル装置でアコースティックバスドラムを打撃する場合におけるペダルの回動量に近似させることができるので、ペダル装置を踏み込んでアコースティックバスドラムを演奏する際に得られる操作感に近似した感触を得ることができる。
【００８９】
なお、本実施の形態では、連結部材３３０の長手方向における長さ寸法を第１実施の形態における連結部材３０よりも大きく設定すると共に初期状態における第４軸Ｏ４の高さ位置を第１実施の形態における第４軸Ｏ４の高さ位置よりも低くすることで、打撃部５０を第１実施の形態における打撃部５０よりも床面および接地板１１から離間した位置で保持する場合について説明したが、連結部材２３０の長手方向における長さを第１実施の形態における連結部材３０と同等にしつつ、打撃部５０を回動体４０の一対の回動板４１に対して全体的に被打撃部２６０に近接した位置に設けることで、打撃部５０を第１実施の形態における打撃部５０よりも床面および接地板１１から離間した位置で保持するように構成してもよい。
【００９０】
次に、図５を参照して、第３実施の形態について説明する。第１実施の形態では、連結部材３０が所定の剛性を有するリンクとして構成される場合について説明したが、第３実施の形態では、連結部材３３０がベルト状の部材から構成される場合について説明する。なお、上記した各実施の形態と同一の部分については同一の符号を付して、その説明を省略する。
【００９１】
図５（ａ）は、第３実施の形態におけるペダル打楽器３００の上面図であり、図５（ｂ）は、図５（ａ）のＶｂ−Ｖｂ線におけるペダル打楽器３００の断面図である。
【００９２】
図５に示すように、ペダル打楽器３００は、ペダル部への踏み込み操作に連動して回動する打撃部を有するペダル装置、及び、そのペダル装置を使用して演奏するアコースティックバスドラムを模擬した電子打楽器である。ペダル打楽器３００は、基部１０と、その基部１０に回動可能に軸支されるペダル部３２０と、そのペダル部３２０に一端側が回動可能に軸支される連結部材３３０と、その連結部材３３０の他端側に回動可能に軸支される回動体３４０と、打撃部５０と、被打撃部６０と、振動センサ７０と、を主に備えて構成されている。
【００９３】
ペダル部３２０は、演奏者により踏み込み操作される断面略Ｌ字状の部位である。ペダル部３２０は、長板状に形成されると共に長手方向一端側がペダル軸支部１２に回動可能に保持されるペダル本体３２１と、そのペダル本体３２１の長手方向他端からペダル本体３２１に対して略垂直方向へ延設されるペダル延設部３２２とを備え、そのペダル延設部３２２の延設先端が断面略円弧状に形成されている。
【００９４】
連結部材３３０は、ペダル部２０と回動体４０とを連結すると共にベルト状の部材から構成される部位であり、連結部材３３０の一端側がペダル部３２０のペダル延設部３２２の延設先端部分に固着されている。
【００９５】
回動体３４０は、演奏者によるペダル部３２０の踏み込み操作に連動して回動する部位であり、水平方向において連結部材３３０を挟んだペダル部３２０の反対側に配設されている。回動体３４０は、対向する一対の回動板３４１と、それら一対の回動板３４１を連結する回動軸部３４２とを備えている。
【００９６】
回動軸部３４２は、円筒状に形成される部位であり、回動軸部３４２の外周面に連結部材３３０の他端側が固着されている。また、回動軸部３４２の内部には第１軸Ｏ１が軸通されることで、回動体３４０が基部１０の一対の立設部１３に対して回動可能に保持されている。回動軸部３４２の一端側には一対の回動板３４１に固着された打撃部５０が配設され、その打撃部５０が第１軸Ｏ１を挟んだペダル部３２０の反対側に配設されている。
【００９７】
ここで、連結部材３３０は、その一端側が、ペダル延設部３２２のうち回動体３４０と対向する面の反対側の面に固着されると共に、連結部材３３０の他端側が、回動軸部３４２のうち初期状態において第１軸Ｏ１よりもペダル部２０から離間した位置で固着されている。即ち、連結部材３３０は、初期状態において略Ｓ字状に湾曲した状態でペダル部３２０のペダル延設部３２２と回動体３４０の回動軸部３４２とを連結している。
【００９８】
なお、付勢力伝達部８２の他端側（図５（ｂ）右側）が回動軸部３４２の外周部分に連結されており、初期状態では、回動軸部３４２及び付勢力伝達部８２の他端側の連結位置が、バネ部材８１の他端側および付勢力伝達部８２の一端側の連結部分と第１軸Ｏ１とを結ぶ直線よりも上側（図５（ｂ）上側）に位置している。換言すれば、初期状態では、回動軸部３４２は、その回動軸部３４２及び付勢力伝達部８２の他端側の連結位置が、バネ部材８１の他端側および付勢力伝達部８２の一端側の連結部分と第１軸Ｏ１とを結ぶ直線よりも一方向側に位置した状態で静止するように構成されている。
【００９９】
これにより、演奏者によるペダル本体部３２１への踏み込み操作によりペダル部３２０が一方向（図５（ｂ）時計回り方向）へ回動してペダル延設部３２２が押し下げられると、連結部材３３０がペダル部３２０側へ引っ張られることで回動体３４０が他方向（図５（ｂ）反時計回り方向）へ回動し、打撃部５０が第１軸Ｏ１の軸回りを他方向へ回動する。さらに、ペダル部３２０が一方向へ所定量回動すると、被打撃部６０が打撃部５０により打撃される。
【０１００】
また、ペダル本体部３２１への踏み込み操作が解除されると、付勢部材８０のバネ部材８１の付勢力により回動体３４０が一方向へ回動する。これにより、連結部材３３０が回動部３４０側へ引っ張られることでペダル延設部３２２が持ち上げられつつペダル部３２０が他方向へ回動する。
【０１０１】
このとき、回動軸部３４２は、初期状態において、回動軸部３４２及び付勢力伝達部８２の他端側の連結位置が、バネ部材８１の他端側および付勢力伝達部８２の一端側の連結部分と第１軸Ｏ１とを結ぶ直線よりも一方向側に位置した状態で静止するように設定されているので、バネ部材８１の付勢力により、打撃部５０がその自重により一方向側へ回転し過ぎることを抑制できる。
【０１０２】
ペダル部３２１への踏み込み操作を行って打撃部５０により被打撃部６０を打撃する際に、演奏者は、打撃部５０を鉛直方向上側へ持ち上げることによる重量感を感じることができるので、ペダル装置のペダル部を踏み込んでアコースティックバスドラムを演奏する際に得られる操作感に近似した感触を得ることができる。
【０１０３】
さらに、打撃部５０は、第１軸Ｏ１を挟んだ水平方向におけるペダル部３２０の反対側を回動するので、打撃部５０を鉛直方向におけるペダル部３２０と基部１０の接地板１１との間のスペースに設ける場合と比べて、ペダル打楽器３００の高さ寸法を小さくすることができる。
【０１０４】
また、打撃部５０を水平方向におけるペダル部３２０と基部１０の一対の立設部１３との間のスペースに設け、ペダル部３２０の踏み込みに連動して打撃部５０を一方向へ回動させる場合と比べて、一対の立設部１３をペダル部３２０に対して近接した位置に配置できるので、基部１０の長手方向における長さ寸法を小型化することができる。
【０１０５】
以上、実施の形態に基づき本発明を説明したが、本発明は上記各実施の形態に何ら限定されるものではなく、本発明の趣旨を逸脱しない範囲内で種々の改良変形が可能であることは容易に推察できるものである。
【０１０６】
例えば、上記各実施の形態では、打撃部５０が、被打撃部６０，２６０と対向する位置に配設される弾性部材５１と、その弾性部材５１に対して被打撃部６０，２６０に対向する側の反対側に取着されるウェイト部５２とを備える場合について説明したが、必ずしもこれに限られるものではなく、打撃部５０を弾性部材５１のみから構成し、その弾性部材５１を錘として利用してもよい。これにより、打撃部５０の構造を簡素化できるので、ペダル打楽器１００，２００，３００の製造コストを低減させることができる。
【０１０７】
上記各実施の形態では、被打撃部６０，２６０の打面６１ａ，２６０ａが、水平方向において第１軸Ｏ１よりもペダル部２０，３２０に近接する側に配置される場合について説明したが、必ずしもこれに限られるものではなく、打面６１ａ，２６０ａを水平方向における第１軸Ｏ１よりも打撃部５０に近接する側に配置してもよい。この場合、打面６１ａ，２６０ａを第１軸Ｏ１よりも鉛直方向上側に配置することで、初期状態において打撃部５０を床面および基部１０の接地板１１から離間した位置で保持した場合であっても、被打撃部６０と打撃部５０との距離を確保することができる。
【０１０８】
上記各実施の形態では、弾性部材５１の第１軸Ｏ１に垂直な断面が略三角形状に形成される場合について説明したが、必ずしもこれに限られるものではなく、弾性部材５１が他の形状、例えば、厚さ寸法が一定に設定された板状に形成されていてもよい。
【０１０９】
上記各実施の形態では、弾性部材５１が打撃部５０に設けられる場合について説明したが、必ずしもこれに限られるものではなく、弾性部材５１を被打撃部６０，２６０の打面６１ａ、２６０ａに取着してもよい。
【０１１０】
上記各実施の形態では、付勢部材８０が、引っ張りバネから構成されると共に一端が基部１０のバネ連結部１４に連結されるバネ部材８１と、そのバネ部材８１の他端が一端側に連結されると共に他端側が回動体４０，３４０に連結される付勢力伝達部８２とを備える場合について説明したが、必ずしもこれに限られるものではなく、付勢部材をバネ部材８１のみから構成し、そのバネ部材８１の一端を基部１０に連結すると共にバネ部材８１の他端をペダル部２０，３２０の下面に連結してもよい。
【０１１１】
上記第１実施及び第３実施の形態では、ペダル打楽器１００，３００が振動センサ６０を備える場合について説明したが、必ずしもこれに限られるものではなく、ペダル打楽器１００，３００が、振動センサ６０の代わりに、打面６１ａに取着されるシートセンサ（例えば、メンブレンスイッチなど）を備えていてもよい。これにより、打撃以外の振動（例えば、床面から伝達される振動など）が誤検出されることを回避できるので、振動センサ６０と比べて、打撃部５０により被打撃部６０が打撃されたことを確実に検出することができる。また、シートセンサにより打撃部５０と被打撃部６０とが接触している状態を検出することができるので、オープン・クローズ奏法を行うことができる。
【０１１２】
なお、ペダル打楽器１００，３００が振動センサ６０及びシートセンサの双方を備えていてもよい。この場合、打撃部５０により被打撃部６０が打撃されたことをシートセンサにより検出しつつ、打撃部５０により被打撃部を打撃した際のベロシティを振動センサ６０により検出することで、振動の誤検出を抑制しつつ、アコースティックドラムの打撃音に楽音を音源装置から放音させることができる。
【符号の説明】
【０１１３】
１００，２００，３００                      ドラム打楽器
１０                                        基部
２０，３２０                                ペダル部
３０，２３０，３３０                        連結部材
４０，３４０                                回動体
５０                                        打撃部
５１                                        弾性部材
５１ａ                                      打点
５２                                        ウェイト部
６０，２６０                                被打撃部
６１ａ，２６０ａ                            打面
７０                                        振動センサ（センサ）
８０                                        付勢部材
【図１】
2014081501.tif 000003
【図２】
2014081501.tif 000004
【図３】
2014081501.tif 000005
【図４】
2014081501.tif 000006
【図５】
2014081501.tif 000007